(57)【要約】【課題】偏平な状態に納められた包装から取り出すことで自動的に立体化し、さらに、その立体化した状態で一部を操作することによりカードを構成している装飾部体が不可思議な動作で動き、その動的形状変化を楽しむことができる新規なポップアップ型カードを提供する。【解決手段】紙に代表されるシートを基材としたカードであって、弾性部材２ｂを含むポップアップ用手段２を備えて偏平状から内部に空室を有する立体形に変化自在な本体１と、平面クランク状かつ側面枠状をなし長手方向両端が前記本体１の前後壁に渡されるとともに、前記本体１の畳み時に扁平状に折り畳み可能な駆動部材３と、本体１の前壁１ａに対峙し前記駆動部材３の一端に連結されたハンドル部材４と、本体１の上に位置され、下部が本体上壁を貫通して空室内に延び、下端部が前記駆動部材３のクランク部分３ａにつながり、前記本体１の畳み時に扁平状化可能な装飾部体６、６Ａ，６Ｂを備えている。【選択図】図３
2006076213.tif 000002
【特許請求の範囲】
【請求項１】
紙に代表されるシートを基材としたカードであって、弾性部材２ｂを含むポップアップ用手段２を備えて偏平状から内部に空室を有するように立体状に変化自在な本体１と、平面クランク状をなすとともに側面枠状をなし長手方向両端が前記本体１の前後壁に渡され回転可能であるとともに、前記本体１の畳み時に扁平状に折り畳み可能な駆動部材３と、本体１の前壁１ａに対峙し前記駆動部材３の一端に連結されたハンドル部材４と、本体１の上に位置され、下部が本体上壁を貫通して空室内に延び、下端部が前記駆動部材３のクランク部分３ａにつながり、前記本体１の畳み時に扁平状化可能な装飾部体６、６Ａ，６Ｂを備えていることを特徴とするポップアップ型カード。
【請求項２】
装飾部体６が左右方向の複数からなり、それぞれの装飾部体６Ａ，６Ｂの下部が本体上壁を貫通して空室に延び、下端部が駆動部材３のクランク部分３ａにつながっている請求項１に記載のポップアップ型カード。
【請求項３】
装飾部体６が前後方向の複数からなり、ひとつの装飾部体６Ａの下部が本体上壁を貫通して空室に延び、下端部が駆動部材３のクランク部分３ａにつながっており、別の装飾部体６Ｂは前記装飾部体６Ａに設けた運動変換部６aに相対運動可能につながっている請求項１に記載のポップアップ型カード。
【請求項４】
装飾部体６Aの下部は下端にリング部６００,６１０を有する偏平なレバー片６０,６１からなり、前記レバー片６０,６１は片面が本体の前後壁に対向し、前記リング部６００,６１０が駆動部材３のクランク部分３ａに相対回転可能に外嵌されている請求項１ないし３のいずれかに記載のポップアップ型カード。
【請求項５】
本体１の後壁部位から上方に背板１ｆが延び、該背板部分に装飾部体６C、６cが位置される一方、本体の後壁から突出する駆動部材３の端に円盤状部材５が固定され、これの偏心位置に前記装飾部体６C、６ｃから延びるレバー片６６、６６が連結されている請求項１ないし４のいずれかに記載のポップアップ型カード。
【請求項６】
ハンドル部材４は円盤状をなし、駆動用部材３の板状面が上下方向にあるときの位置に対応した偏心部位に操作用部４ａが形成されている請求項１に記載のポップアップ型カード。
【請求項７】
ポップアップ用手段２は、本体１の内部に配され、一隅に基端が位置し、自由端が本体の対角線上の他隅に臨む斜片２ａと、一端が斜片の基端近傍の本体部位に連結され、中間が斜片２ａの長さ方向に沿い、他端が斜片２ａの自由端に対応する本体部位に連結された弾性部材２ｂを備えている請求項１に記載のポップアップ型カード。
【発明の詳細な説明】
【技術分野】
【０００１】
本発明はポップアップ型カードとりわけ玩具的機能を備えたポップアップ型カードに関する。
【背景技術】
【０００２】
クリスマス、バレンタインデー、年賀、暑中見舞い、各種記念日などの祝意を表す手段として、グリーティングカードが盛んに用いられているが、通常では、扁平なカード基材に印刷を施したものであるので、インパクトに乏しいうらみがあった。
このため、ポップアップ型のカードが種々発明され実用化されているが、従来のポップアップ型のカードは、畳んで平たい状態から前後方向に階段状に立体化するものがほとんどであった。
このため、最初は興趣を抱くがすぐに飽きてしまいやすく、インパクトが乏しく、商品価値を高くすることには限界があった。
【特許文献１】実用新案登録第３０７００７８号
【発明の開示】
【発明が解決しようとする課題】
【０００３】
本発明は前記のような問題点を解消するためになされたもので、その目的とするところは、偏平な状態に納められた包装から取り出すことで自動的に立体化し、さらに、その立体化した状態で一部を操作することによりカードを構成している装飾部体が不可思議な動作で動き、その動的形状変化を楽しむことができる新規なポップアップ型カードを提供することにある。
【課題を解決するための手段】
【０００４】
上記目的を達成するため本発明は、紙に代表されるシートを基材としたカードであって、弾性部材を含むポップアップ用手段を備えて偏平状から内部に空室を有するように立体状に変化自在な本体と、平面クランク状をなすとともに側面枠状をなし長手方向両端が前記本体１の前後壁に渡され回転可能であるとともに、前記本体の畳み時に扁平状に折り畳み可能な駆動部材と、本体の前壁に対峙し前記駆動部材の一端に連結されたハンドル部材と、本体の上に位置され、下部が本体上壁を貫通して空室内に延び、下端部が前記駆動部材のクランク部分につながり、前記本体の畳み時に扁平状化可能な装飾部体を備えていることを特徴としている。
【発明の効果】
【０００５】
本発明によるときには、ポップアップ用手段の付勢に抗して押圧することにより本体が偏平になり、駆動部材も平行四辺形状を経て扁平状に折り畳まれ、かつ装飾部体も扁平状に折り畳まれるので、薄くコンパクトな形態とすることができ、封筒に装てんして郵便での送付なども容易に行うことができる。
包装から取り出すと、ポップアップ用手段の働きで本体は自動的に筒状に立体化し、駆動部材も、本体内において偏平状から平行四辺形状を経て矩形状に変化し、装飾部体も本体に重なった状態から直立状に立体化する。したがって、立体化されたカードを目で楽しむことができる。
【０００６】
さらに、駆動部材が、平面クランク状をなすとともに側面枠状をなし長手方向両端が前記本体の前後壁に回転可能に渡され、一端にハンドル部材が連結されているので、このハンドル部材を回動することにより駆動部材がクランク軸として機能し、駆動部材に下部がつながっている装飾部体が上下動や左右動を伴って揺動運動するので、装飾部体の不可思議で面白い動的形状変化を楽しむことができ、したがって、ユニークで商品価値の高いカード状玩具や玩具状カードとすることができる。
【発明を実施するための最良の形態】
【０００７】
装飾部体が左右方向の複数からなり、それぞれの装飾部体の下部が本体上壁を貫通して空室に延び、下端部が駆動部材のクランク部分につながっている。
これによれば、それぞれの装飾部体は下部がV字状になって駆動部材のクランク部分につながることになり、駆動部材の回転で左右の装飾部体が交互に別方向に動くので、面白みのある玩具型カードとすることができる。
【０００８】
装飾部体が前後方向の複数からなり、ひとつの装飾部体の下部が本体上壁を貫通して空室に延び、下端部が駆動部材のクランク部分につながっており、別の装飾部体は前記装飾部体に設けた運動変換部に相対運動可能につながっている。
これによれば、ひとつのクランク運動で複数の装飾部体が異なる揺動運動を生起するので、より複雑で面白みのある玩具型カードとすることができる。
【０００９】
装飾部体の下部は下端にリング部を有する偏平なレバー片からなり、前記レバー片は片面が本体の前後壁に対向し、前記リング部が駆動部材のクランク部分に相対回転可能に外嵌されている。
これによれば、駆動部材の運動を確実に伝達できるとともに、駆動用部材がひしゃげたときに、これに追従して円滑に扁平化することができる。
【００１０】
本体の後壁部位から上方に背板が延び、該背板部分に装飾部体が位置される一方、本体の後壁から突出する駆動部材の端に円盤片が固定され、これの偏心位置に前記装飾部体から延びるレバー片が連結されている。
これによれば、装飾が多重となるとともに、駆動部材の回転でレバー片が上下動し、他の装飾部体と異なる動きを生起するので、より複雑で面白みのある運動形態を楽しむことができる。
【００１１】
ハンドル部材は円盤状をなし、駆動用部材の板状面が上下方向にあるときの位置に対応した偏心部位に操作用部が形成されている。
これによれば、操作用部に指を入れるなどして簡単に駆動部材を回転することができるとともに、駆動部材の板状面が上下方向にあることを指示する目印としても機能するので、本体の折り畳み時に誤りなく駆動部材を偏平化させることができ、誤使用による駆動部材の破損を防止することができる。
【００１２】
ポップアップ用手段は、本体の内部に配され、一隅に基端が位置し、自由端が本体の対角線上の他隅に臨む斜片と、一端が斜片の基端近傍の本体部位に連結され、中間が斜片の長さ方向に沿い、他端が斜片の自由端に対応する本体部位に連結された弾性部材を備えている。
これによれば、包装体あるいは封筒などから本案品を取り出すと、弾性部材の張力で本体の形状が自動的に平行四辺形断面から直角な矩形状に変化して直立する。このときに斜片が本体の対角線上の上部隅に当接ないし接近するので、筋交い効果により本体の形状が固定化され、みだりに崩れなくなるので、駆動部材の軸としての機能を十分に発揮させることができる。
【実施例１】
【００１３】
以下添付図面を参照して本発明の実施例を説明する。
図１ないし図１３は本発明をクリスマスカードに適用した実施例を示している。図１〜図７は使用時の状態を示し、図８は包装状態を示し、図９は包装から取り出した途中の状態を示している。
本発明のカードは、主基材としてシート材、通常、板紙が用いられるが、場合によっては全部または一部にプラスチック材が使用されることもある。
【００１４】
１は本体であり、前壁１ａ、後壁１ｂおよび上下壁１ｃ、１ｄを備え、使用時に断面矩形状の横筒状をなすように構成されている。
本体１は内部に空室１ｅを有し、ここにポップアップ用手段２を備えており、該ポップアップ用手段２により、図８のような偏平状から図１〜図４のような立体状に変化自在となっている。
【００１５】
前記ポップアップ用手段２は、この例では左右に２つ設けられており、それぞれ本体１の内部に配され、上部隅に基端が位置し、自由端が本体の対角線上の下部隅に臨む斜片２ａと、一端が斜片の基端近傍の本体部位に連結され、中間が斜片の長さ方向に沿い、他端が斜片２ａの自由端に対応する本体部位に連結された弾性部材２ｂからなっている。弾性部材２ｂはたとえば輪ゴムなどが用いられる。弾性部材２ｂの引張り力で斜片２ａの自由端が本体１の隅角部分に当接あるいは接近し、本体１は立体形状となり、その状態が保持される。
【００１６】
前記本体１は、後壁１ｂの背側に所定の隙間を有せしめて裏板１０が連設されており、この裏板１０に所望のメッセージを記載できる自由欄１００が設けられている。
また、後壁１ｂには背板１ｆが高さ方向に延長形成されており、これと上壁１ｃの後端部の間に、ツリーなど所望の形状をなした位置固定状の装飾片７Ａが、本体１（上壁）の形状変化に連動して起伏可能に立設されている。また、上壁１ｃの前端部分にはサンタクロースが立ち上がった状態など所望の形状をなした位置固定状の装飾片７Ｂが本体１（上壁）の形状変化に連動して起伏可能に立設されている。
【００１７】
３はクランク軸として機能する駆動部材であり、図３と図４のように、前記本体１の前壁１ａと後壁１ｂに設けた開口１０１、１０１を回転可能に貫通している。該駆動部材３は、平面から見て図４のように中間にコ状のクランク部３ａを有し、側面から見て図３のように複数枚（図面では２枚）の板が平行に対向して矩形枠状をなしており、図３と図４のように、板面が上下に向いている状態で、本体１の前後方向での潰しに連動して長方形から平行四辺形を経て上下の板面が重なりあるいは接近した偏平状に変化できるようになっている。
【００１８】
４は本体１の前壁１ａに対向するように位置したハンドル部材であり、その後面中央部位に前記駆動部材３の一端部分が接着などにより固定されている。
ハンドル部材４は円形状など所望の形状をなし、表面に「Merry Christmas」などの所望のグリーティング表示４００が施されている。そして、ハンドル部材４の駆動部材３との固定位置と半径方向で変位した偏心位置、とりわけ前記駆動部材３の板面が上下に向いている姿勢と整合した位置に操作用部４ａが設けられている。この例では操作用部４ａは指を挿脱可能な穴として構成されている。
【００１９】
５は前記本体１の後壁１ｂに対峙した円盤状部材であり、その中央部に後壁１ｂの開口１００を貫いた駆動部材３の他端部分が接着などにより固定され、これによりハンドル部材４により駆動部材３を回転したときに一緒に回転するようになっている。裏板１ｆはこの円盤状部材５を隠蔽する役割も果たす。
【００２０】
６は前記駆動部材３のクランク回転により、前記本体１の上壁１ｃより上方域で、上下、左右に揺動され、本体１が畳まれたときには本体１の上壁面や背板面に重なるように畳まれる装飾部体である。
装飾部体６は単一でもよいが、この実施例では前記位置固定の装飾片７Ａ、7Ｂの間の領域に、第１と第２の装飾部体（これを６Ａ、6Ｂとする）を配している。この実施例ではそれぞれがサンタクロースの絵柄と輪郭が施されているが、これに限定されるものではない。
【００２１】
第１の装飾部体６Ａは下部構造としてレバー片６０を一体的に有しており、該レバー片６０は上壁１ｃに形成したスリット１０２を通して本体内に延出しており、下端部にはリング部６００が設けられている。リング部６００は駆動部材３のクランク部３ａとほぼ一致する内径を有し、図３と図４のようにクランク部３ａに外嵌することでつながれている。
第２の装飾部体６Ｂは第１の装飾部体６Ａとは独立しかつ第１の装飾部体６Ａの近傍に配され、第１の装飾部体６Ａに設けた運動変換部６ａにより第１の装飾部体６Ａの揺動時にこれと異なる揺動運動をするようになっている。
【００２２】
詳述すると、第１の装飾部体６Ａは、その前面側に上端が前記レバー片６０と屈折自在な連結片で結ばれたレバー片６１を有しており、該レバー片６１は前記レバー片６０と同じ構成を有し、スリット１０２と平行なスリット１０３を貫通し、下端のリング部６１０が駆動部材３のクランク部３ａと外嵌することでつながれている。クランク部３ａには２つのリング部６００、６１０を所定の間隔で分離する突起片部３０が設けられている。
そして、前記２つのレバー片６０、６１は上壁１ｃよりも上の部位に図５のように縦長孔６０１、６１１を対向状に形成している。
【００２３】
第２の装飾部体６Ｂは、図５のように、下端にL状レバー片６２、６２を一体に有し、それらは前記スリット１０３の両側の短スリット１０４、１０４に縦部分をもって挿通され、横部分をもってストッパーの役目を果たさせるようにしている。そして第２の装飾部体６Ｂの背面側には扁平化自在なスライダーとしての枠状突片６５が固着されており、枠状突片６５は前記縦長孔６０１、６１１を貫通して第１の装飾部体６Ａの背後に達し、縦長孔６０１よりも大きな抜け止め片により前後方向の移動が規制されている。
したがって、クランク部３ａとレバー片６０、６１との関係により第１の装飾部体６Ａが大きな上下動を伴う左右所要角度の揺動運動をすると、縦長孔６０１、６１１で枠状突片６５が動かされるため、第２の装飾部体６Ｂは左右のL状レバー片６２、６２の横部分が上壁１ｃの下面に当接する限度で左右に揺動する。
【００２４】
運動の面白さと複雑さを増すため、この実施例ではさらに背板１ｆに近接して第３の装飾部体６Ｃを配し、これを駆動部材３の回転時に斜めで上下させるようにしている。
詳述すると、第３の装飾部体６Ｃは図７によく示されており、この例では第３の装飾部体６Ｃは左右２つであり、背部にそれぞれ長いレバー片６６、６６が一体化されている。レバー片６６、６６はこの例では長さが異なり、それぞれ背板1ｆに設けられたスリット１０５、１０５を通して背板背面の下方に導かれ、下端部分が前記円盤状部材５の偏心位置につながれてる。
【００２５】
前記駆動部材３は、図１０に構造の具体例を示しており、紙面に対して直角方向でひしゃげるように倒れ、扁平化できるように、中間部分に突起片部３０を備えたクランク部分３ａを、両端に連結用部３１、３２を有して全体が枠状をなす芯片３Ａの上下面に、中間にクランク部３ａを有する上片３Ｂと下片３Ｃを接合してなり、クランク部分には、立体化時に剛性を増すためにコの字状の補強片３Ｄ、３Ｄを介在させている。
【００２６】
第１実施例の作用を説明すると、本体１はポップアップ用手段２を内部に有しており、常態においては弾性部材２ｂの張力が対角線方向に働くので、立方体状あるいは直方体状の筒になる傾向を示すが、本体１の上壁１ｃあるいはこれと前壁１ａの境界部分を押圧することにより、ポップアップ用手段２の斜片２ａの自由端側が対角線上で後退するので、本体１および背板１ｆは図９のように倒されて平行四辺形化する。
【００２７】
駆動部材３は両端がハンドル部材４と円盤状部材５に接合されているので、板面部が上下方向に向いている状態にあるときには、前記本体１の平行四辺形化に追従して平行四辺形化し、各レバー片６０、６１、６６も後方に倒れ、装飾部体６も後方に倒れる。
押圧の継続により、駆動部材３とポップアップ用手段２は最終的に折り畳まれた本体１に挟まれ、それぞれの構成部材が重なる形で扁平化し、ハンドル部材４も本体１の前壁１ａに重なる。したがって、図８のように全体がコンパクトな偏平状態になり、定型封筒などの包装袋Ｈに容易に装てんして郵送可能であり、販売のための展示もかさばらず容易である。
【００２８】
前記駆動部材３の板面部分が上下方向に向いているかどうかは、ハンドル部材４における操作用部４ａの円周方向位置で即座に判別することができる。すなわち、この例では操作用部４ａが上壁に近い上位位置にあるか、１８０度変位した位置にあるときに、駆動部材３の板面部分が上下方向に向いている。このため、操作用部４ａの円周方向位置を確認して本体１を押圧することで駆動部材３の押しつぶし破損を回避できる。
【００２９】
前記状態から本案品を取り出せば、ポップアップ用手段２の弾性部材２ｂの対角線上に働く張力により、本体１が平坦な状態から図８のように平行四辺形状に変化し、最終的に図３のように立方体状ないし直方体状となる。このときに斜片２ａの自由端が本体１の隅角に接触ないし近接するので、筋交い作用により剛性が増し、しっかりしたボックス状態が形成される。
【００３０】
前記本体１の立体化に伴い、駆動部材３も横から見て直方体をなすように矩形枠状に立体化して剛性を帯び、ハンドル部材４も本体１の前面で直立する。各レバー片６０、６１も駆動部材３に対して垂直状に立ち、それぞれの装飾部体６は本体１の上で前後に所定の間隔をおいて配置される。
この静止した状態も面白く、装飾部体６の配置を眺めたり、ハンドル部材４に表された祝意や背板１ｆに記載されたメッセージを読み取ったりして楽しむことができる。
【００３１】
前記状態において、本体１を動かないように持ち、ハンドル部材４の操作用部４ａを操作し（この例では孔であるため指を差し込む）、ハンドル部材４を時計方向あるいは反時計方向に回転させれば、本体１を貫通して装架されている駆動部材３と端部の円盤状部材５が回転する。駆動部材３は中間にクランク部３ａを有し、そこに装飾部体６Ａのレバー片６０、６１の下端リング部６００，６１０がつながっており、円盤状部材５の偏心位置に後方の装飾部体６Ｃのレバー片６６、６６の下端部がつながっているので、駆動部材３の回転により、第１の装飾部体６Ａは、図６のように、上下方向に伸縮しながら左右に傾動する揺動運動を行う。
【００３２】
この第１の装飾部体６Ａのレバー片６０、６１には運動変換部６ａがあり、これを構成する縦長孔６１０，６１１に対して第２の装飾部体Ｂの背部からの枠状突片６５が貫通しており、レバー片６０、６１の動きに応じて縦長孔６１０、６１０の高さと向きが変化すると、枠状突片６５が押されてガイドされるので、第２の装飾部体６Ｂは図５からわかるように第１の装飾部体６Ａと異なる左右揺動運動を行う。
【００３３】
また、円盤状部材５の回転に伴い、これの偏心位置に連結されている左右のレバー片６６、６６が背板１ｆの前面側で傾斜角度を変化しながら上下動する。これにより第３の装飾部体６Ｃ、６Ｃは、図７のように第１の装飾部体６Ａの背後に隠れ状態から、第１の装飾部体６Ａよりも上方に突出した状態に変化する。
図１１ないし図１３は、図１の状態から駆動部材３を回転させたときの装飾部体６Ａ，６Ｂ，６Ｃの動きの変化ないし状態の変化を９０度ごとに示しており、図１のスタート時では、第３の装飾部体６Ｃ、６Ｃが隠れており、この例では第１の装飾部体６Ａは右方に傾転され、第２の装飾部体６Ｂはやや左に傾きつつ沈んでいる。
【００３４】
これから９０度回転すると、図１１のように、第１の装飾部体６Ａは右下がりでかつ高い位置に持ち上がり、第２の装飾部体６Ｂもほぼ垂直状に上昇し、第３の装飾部体６Ｃは左側のものがわずかに見え、右側のものが下がった位置でわずかに覗いている。
さらに９０度回転すると、図１２のように第１の装飾部体６Ａは上昇位置で左方に傾動し、第２の装飾部体６Ｂは下がって左に傾動し、第３の装飾部体6Ｃは左右に開いた位置で上方に位置する。
さらに９０度回転すると、図１３のように、第１の装飾部体６Ａは右下がりで低い位置に変化し、第２の装飾部体６Ｂはほぼ水平状で下限位置になり、第３の装飾部体６Ｃは左側のものが第１の装飾部体６Ａと同程度のレベルで覗き、右側のものはやや上位でわずかに覗いている。
したがって、あたかも多数のサンタクロースが前後に位置し色々な方向で飛びまわったり踊ったりしているかのような動的な情景を創成することができる（回転方向を逆にすれば、また違った動きになる）ので、玩具として楽しむことができる。
【００３５】
使用後には、操作用部４ａが上壁に近い上位位置か１８０度変位した位置にある位置にハンドル部材４を操作し、本体１を押圧すればよく、これで再び図９の状態を経て図８ような偏平状態になる。したがって、次のシーズンまでスペースをとらずに保管できる。
【実施例２】
【００３６】
図１４ないし図１６は本発明の第２実施例を示しており、筒型の本体１と、ポップアップ用手段２と、クランク部分３ａを有する駆動部材３と、ハンドル部材４、および主体が本体上に位置し、下部が前記クランク部分３ａにつながった可動な装飾部体６を有し、全体が偏平状から立体状に変化し、立体化した状態でハンドル部材４の回転により駆動部材３が回転し、それに伴い装飾部体６が揺動運動を行うように構成されている点は第１実施例と同様である。
【００３７】
ただ、この実施例では、ポップアップ用手段２がひとつであり、かつ、装飾部体６Ａ,６Ｂが前後方向ではほぼ同じ位置に左右に配されている。この例では装飾部体６Ａはサンタクロースが乗ったそりを表し、装飾部体６Ｂはトナカイを表している。
それぞれの装飾部体６Ａ，６Ｂは上壁１ｃのスリットを貫通して伸びるレバー片６０、６１を有している。それらレバー片６０、６１は正面略Ｖ字状に伸び、下端のリング部６００，６１０が駆動部材３のクランク部分３ａにつながっている。レバー片６０、６１はそれぞれ２枚の平行な組からなっている。そして、装飾部体６Ｂは前後２片から構成され、それらの間をつなぐ連結部６８にレバー片６１の上端のリング部６１１が相対回転可能に外嵌している。安定した動きを得るため、それぞれの装飾部体6Ａ，6Ｂは上壁１ｃのスリットを貫通して伸びるガイド片６９を有している。
【００３８】
この第２実施例においては、ハンドル部材４を回転すると駆動部材３が回転し、これのクランク部分３ａにつながっているレバー片６０、６１が上下運動する。レバー片６０、６１は長さが異なるとともにＶ状になっているので、装飾部体６Ａ，６Ｂは異なった揺動運動を行い、この例では、あたかもトナカイがそりを牽引して中空を航行しているような動きが創成される。
他の構成は第１実施例と同様であるから、同じ部分、部品に第１実施例と同じ符号を付し、説明は省略する。
【００３９】
図示するものは本発明の数例であり、これに限定されることなく種々の変更を含む。
１）装飾部体６はサンタクロースに限らず、種々の形象とし得るのはいうまでもない。また、装飾部体６は単一であってもよいし、あるいは前後で３つ以上数を増して、レバー片を駆動部材３のクランク部分につないでもよい。また、第２実施例と第１実施例を組み合わせ、前後方向で同じ位置にある装飾部体を左右に分割してそれぞれを駆動部材３のクランク部分につないでもよい。
２）クランク部分が複数設けられ、それぞれに装飾部体の下部がつながっていてもよい。
３）装飾部体６は動きに対応して可動な副装飾部材を有していてもよい。
【図面の簡単な説明】
【００４０】
【図１】本発明によるカードの一実施例を完成使用状態で示す正面図である。
【図２】図１の背面図である。
【図３】図１の縦断側面図である。
【図４】図３のＸ−Ｘ線に沿う断面図である。
【図５】図３のＡ−Ａ線に沿う断面図である。
【図６】図３のＢ−Ｂ線に沿う断面図である。
【図７】図３のＣ−Ｃ線に沿う断面図である。
【図８】（ａ）は包装状態の平面図、（ｂ）はその断面図である。
【図９】封筒などの包装体から取り出した途中状態を示す側面図である。
【図１０】（ａ）は本発明における駆動部材の斜視図、（ｂ）はその分解斜視図である。
【図１１】図１の状態からハンドル部材を９０度回転させた状態の正面図である。
【図１２】図１１の状態からさらにハンドル部材を９０度回転させた状態の正面図である。
【図１３】図１２の状態からさらにハンドル部材を９０度回転させた状態の正面図である。
【図１４】本発明の第２実施例を示す正面図である。
【図１５】第２実施例の縦断側面図である。
【図１６】同じく横断面図である。
【符号の説明】
【００４１】
１  本体
１ａ  前壁
１ｂ  後壁
１ｆ  背板
２  ポップアップ用手段
２ａ  斜片
２ｂ  弾性部材
３  駆動部材
３ａ  クランク部
４  ハンドル部材
４ａ  操作用部
５  円盤状部材
６,６Ａ，６Ｂ，６Ｃ  装飾部体
６a  運動変換部
６０,６１、６６  レバー片
６００,６１０  リング部
【図１】
2006076213.tif 000003
【図２】
2006076213.tif 000004
【図３】
2006076213.tif 000005
【図４】
2006076213.tif 000006
【図５】
2006076213.tif 000007
【図６】
2006076213.tif 000008
【図７】
2006076213.tif 000009
【図８】
2006076213.tif 000010
【図９】
2006076213.tif 000011
【図１０】
2006076213.tif 000012
【図１１】
2006076213.tif 000013
【図１２】
2006076213.tif 000014
【図１３】
2006076213.tif 000015
【図１４】
2006076213.tif 000016
【図１５】
2006076213.tif 000017
【図１６】
2006076213.tif 000018